(57)【要約】  【課題】  ＦＭ多重放送受信装置の中間周波数の公称値（例えば、１０．７ＭＨｚ）よりも所定数端数（αＫＨｚ）だけシフトさせ、ＦＭ多重放送受信装置の局部発振周波数を可聴周波数帯域外の所定周波数（αＫＨｚ）だけシフトして発振するようにした情報受信装置を提供する。  【解決手段】  ＰＬＬ（Phase Locked Loop）などの高精度の発振回路で構成し、ＦＭ局部発振周波数ｆFOに、常に所定周波数（−αＫＨｚ）を付加したフォームで発振する局部発振回路１５と、ＦＭ中間周波数ｆFIを、常にＡＭ中間周波数ｆI（１０．７ＭＨｚ）＋所定周波数（αＫＨｚ）に固定して出力する混合器６を備える。【選択図】  図１
2006262281.tif 000002
【特許請求の範囲】
【請求項１】
共通のアンテナで、ＦＭ多重放送を受信するＦＭ多重放送受信装置と、音声放送を受信する音声放送受信装置と、からなる情報受信装置であって、
前記ＦＭ多重放送受信装置は、所定周波数だけシフトさせたＦＭ局部発振周波数を発生する局部発振回路と、ＦＭ受信信号とＦＭ局部発振周波数とを混合し、所定周波数だけシフトしたＦＭ中間周波数を出力する混合器と、を備えたことを特徴とする情報受信装置。
【請求項２】
前記局部発振回路は、シフトさせる所定周波数を、可聴周波数帯域を越えて音声放送周波数の間隔範囲内の周波数に設定することを特徴とする請求項１記載の情報受信装置。
【請求項３】
共通のアンテナで、ＦＭ多重放送を受信するＦＭ多重放送受信装置と、音声放送を受信する音声放送受信装置と、からなる情報受信装置のビートノイズ抑制方法であって、
ＦＭ受信周波数（ｆFR）を受信するステップＳ１と、
常時、所定周波数（α）だけシフトさせたＦＭ局部発振周波数（ｆFO）を発生するステップＳ２と、
ＦＭ受信周波数（ｆFR）とＦＭ局部発振周波数（ｆFO）とを混合し、公称値（ｆI）から所定周波数だけシフトしたＦＭ中間周波数（ｆFI）を出力するステップＳ３と、
を備えたことを特徴とする情報受信装置のビートノイズ抑制方法。
【請求項４】
ステップＳ２において、
所定周波数（α）を、可聴周波数帯域を越えて音声放送周波数の間隔範囲内の周波数に設定するサブステップＳＵＢを備えたことを特徴とする請求項３記載の情報受信装置のビートノイズ抑制方法。
【発明の詳細な説明】
【技術分野】
【０００１】
この発明はＦＭ多重放送とＡＭ音声放送を共用化して受信する情報受信装置に係り、特にＦＭ多重放送受信装置の局部発振周波数が音声放送受信装置に回り込んで受信周波数と干渉することにより発生するビートノイズを抑制する情報受信装置に関する。
【背景技術】
【０００２】
従来のＦＭ多重放送とＡＭ放送を共用化して受信する情報受信装置には、スーパへテロダイン方式が採用されており、ＡＭ放送の受信周波数およびＦＭ多重放送の受信周波数に拘わらず、音声放送受信装置およびＦＭ多重放送受信装置の中間周波数が１０．７ＭＨｚに設定されている。
【０００３】
ＡＭ放送の受信周波数およびＦＭ多重放送の受信周波数から中間周波数の公称値（１０．７ＭＨｚ）への周波数変換は、それぞれ音声放送受信装置およびＦＭ多重放送受信装置の局部発振回路から発生する局部発振周波数を受信周波数に対応して変更することにより行われている。
【０００４】
また、従来の情報受信装置は、音声放送受信装置およびＦＭ多重放送受信装置が同一筐体（ケース）内に内蔵されているため、両受信装置相互間で周波数（信号）の干渉が起こりやすい傾向にあり、例えばＦＭ多重放送受信装置の局部発振周波数が音声放送受信装置のアンテナ入力回路に回り込み、音声放送受信装置で受信した受信周波数と干渉してしまい、ＦＭ多重放送受信装置の局部発振周波数と音声放送受信装置の受信周波数が同一周波数となってビートノイズを発生するような現象が発生する場合がある。
【０００５】
図４に従来の情報受信装置のビートノイズ発生現象説明図を示す。図４において、音声放送受信装置５２がアンテナ４から放送電波ｆBを受信し、アンテナ入力回路１０でＡＭ受信周波数ｆARに同調して受信しているケースで、同時に、ＦＭ多重放送受信装置５１もアンテナ４から放送電波ｆBを受信し、アンテナ入力回路５でＦＭ受信周波数ｆFRに同調して受信しているケースで、ＦＭ受信周波数ｆFRがＡＭ受信周波数ｆAR＋中間周波数ｆI（公称値１０．７ＭＨｚ）の場合には、ＦＭ多重放送受信装置５１の局部発振器７から出力するＦＭ局部発振周波数ｆFOがＡＭ受信周波数ｆARとなることがある（ｆFO＝ｆAR）。
【０００６】
この現象は、ＦＭ多重放送受信装置５１のアンテナ入力回路５で受信されるＦＭ受信周波数ｆFR＝ｆAR＋ｆIとなり、混合器６でＦＭ受信周波数ｆFRとＦＭ局部発振周波数ｆFOとが混合して偏差（＝ｆFR−ｆFO）が中間周波数ｆIとなるため、ＦＭ局部発振周波数ｆFOは、ＦＭ受信周波数ｆFR（＝ｆAR＋ｆI）と中間周波数ｆIとの偏差（＝ｆAR＋ｆI−ｆI＝ｆAR）となり、ＡＭ受信周波数ｆARと一致し、このＦＭ局部発振周波数ｆFO（＝ｆAR）が音声放送受信装置５２のアンテナ入力回路１０に回り込んで（実線矢印表示）、ＡＭ受信周波数ｆARとの間で干渉して同一周波数ビートノイズを発生することになる。
【０００７】
上記のビートノイズ発生への対策として、ＦＭ多重放送受信装置５１と音声放送受信装置５２との間をシールドし、ＦＭ多重放送受信装置５１のＦＭ局部発振周波数ｆFO（＝ｆAR）が音声放送受信装置５２のアンテナ入力回路１０に回り込むことを抑制する方法や、音声放送受信装置５２側のグランド（接地）パターンの強化、電源デカップへの高性能部品の使用などによる音声放送受信装置５２への回り込みを抑制している。
【０００８】
また、「特許文献１」（情報受信装置）に開示されているように、共通のアンテナで受信された受信情報が分配供給される第１情報受信手段（例えば、音声放送受信装置）と第２情報受信手段（例えば、ＦＭ多重放送受信装置）とを備え、第１情報受信手段または第２情報受信手段のいずれか一方の受信状況が向上するように、いずれか他方の情報受信手段を設定された同調周波数と異なる周波数で受信させる受信制御手段を備えたものがあり、例えば第１情報受信手段および第２情報受信手段が同一の周波数を受信する場合には、例えば第２情報受信手段は、第１情報受信手段にビートをもたらすＩＦ周波数（中間周波数）の受信周波数をスキップするものがある。
【０００９】
受信周波数のスキップは、第２情報受信手段の局部発振周波数と第１情報受信手段が受信している周波数が同一とならないように、代替周波数を検出し、第２情報受信手段の局部発振周波数と第１情報受信手段の受信周波数が同一となるＦＭ多重放送の受信周波数をスキップするものである。
【特許文献１】特開平１１−１４５８６６号公報
【発明の開示】
【発明が解決しようとする課題】
【００１０】
シールドの追加、グランド（接地）パターンの強化、電源デカップへの高性能部品の使用などによる従来のビートノイズ対策は、シールド材の追加、コンデンサの追加、フィルタの追加が伴い、設計工数や量産コストのアップを招くという新たな課題が発生する。
【００１１】
また、シールドの追加、グランド（接地）パターンの強化、電源デカップへの高性能部品の使用などのビートノイズ対策は、ビートノイズを低減することができても、消滅することが難しい。
【００１２】
さらに、ある周波数に対して、ビートノイズを低減する効果があっても、他の周波数に対するビートノイズを悪化させるというように、モグラ叩き的な対策になる課題がある。
【００１３】
また、「特許文献１」に開示されたものは、ＦＭ多重放送の局部発振周波数がＡＭ放送の受信周波数と同一になるような周波数しか使用できない場合、ビートノイズを回避できない課題がある。
【００１４】
この発明はこのような課題を解決するためになされたもので、その目的はＦＭ多重放送受信装置の中間周波数の公称値（例えば、１０．７ＭＨｚ）よりも所定数端数（αＫＨｚ）だけシフトさせ、ＦＭ多重放送受信装置の局部発振周波数を可聴周波数帯域外の所定周波数（αＫＨｚ）だけシフトして発振するようにした情報受信装置を提供することにある。
【課題を解決するための手段】
【００１５】
前記課題を解決するためこの発明に係る情報受信装置は、共通のアンテナで、ＦＭ多重放送を受信するＦＭ多重放送受信装置と、音声放送を受信する音声放送受信装置とからなる情報受信装置であって、ＦＭ多重放送受信装置は、所定周波数だけシフトさせたＦＭ局部発振周波数を発生する局部発振回路と、ＦＭ受信信号とＦＭ局部発振周波数とを混合し、所定周波数だけシフトしたＦＭ中間周波数を出力する混合器とを備えたことを特徴とする。
【００１６】
この発明に係る情報受信装置は、共通のアンテナで、ＦＭ多重放送を受信するＦＭ多重放送受信装置と、音声放送を受信する音声放送受信装置とからなる情報受信装置であって、ＦＭ多重放送受信装置は、所定周波数だけシフトさせたＦＭ局部発振周波数を発生する局部発振回路と、ＦＭ受信信号とＦＭ局部発振周波数とを混合し、所定周波数だけシフトしたＦＭ中間周波数を出力する混合器とを備えたので、ＦＭ多重放送受信装置が音声放送受信装置の中間周波数の公称値（１０．７ＭＨｚ）＋ＡＭ受信周波数となるＦＭ受信周波数を受信しているときに、同時に音声放送受信装置が同一のＡＭ受信周波数を受信している場合には、ＦＭ多重放送受信装置がＡＭ受信周波数から所定周波数だけシフトしたＦＭ局部発振周波数を発振し、ＦＭ多重放送受信装置のＦＭ局部発振周波数が音声放送受信装置に回り込んでも、音声放送受信装置からビートノイズの発生を回避することができる。
【００１７】
また、この発明に係る局部発振回路は、シフトさせる所定周波数を、可聴周波数帯域を越えて音声放送周波数の間隔範囲内の周波数に設定することを特徴とする。
【００１８】
この発明に係る局部発振回路は、シフトさせる所定周波数を、可聴周波数帯域を越えて音声放送周波数の間隔範囲内の周波数に設定するので、局部発振周波数が音声放送受信装置に回り込んでビートノイズを発生しても、ビートノイズを可聴周波数外にすることができる。
【００１９】
さらに、この発明に係る情報受信装置のビートノイズ抑制方法は、共通のアンテナで、ＦＭ多重放送を受信するＦＭ多重放送受信装置と、音声放送を受信する音声放送受信装置とからなる情報受信装置のビートノイズ抑制方法であって、ＦＭ受信周波数（ｆFR）を受信するステップＳ１と、常時、所定周波数（α）だけシフトさせたＦＭ局部発振周波数（ｆFO）を発生するステップＳ２と、ＦＭ受信周波数（ｆFR）とＦＭ局部発振周波数（ｆFO）とを混合し、公称値（ｆI）から所定周波数だけシフトしたＦＭ中間周波数（ｆFI）を出力するステップＳ３とを備えたことを特徴とする。
【００２０】
この発明に係る情報受信装置のビートノイズ抑制方法は、ＦＭ受信周波数（ｆFR）を受信するステップＳ１と、常時、所定周波数（α）だけシフトさせたＦＭ局部発振周波数（ｆFO）を発生するステップＳ２と、ＦＭ受信周波数（ｆFR）とＦＭ局部発振周波数（ｆFO）とを混合し、公称値（ｆI）から所定周波数だけシフトしたＦＭ中間周波数（ｆFI）を出力するステップＳ３とを備えたので、ＦＭ多重放送受信装置のＦＭ局部発振周波数（ｆFO）を音声放送受信装置のＡＭ受信周波数（ｆAR）から所定周波数（α）だけシフトすることができる。
【００２１】
また、この発明に係る情報受信装置のビートノイズ抑制方法は、ステップＳ２において、所定周波数（α）を、可聴周波数帯域を越えて音声放送周波数の間隔範囲内の周波数に設定するサブステップＳＵＢを備えたことを特徴とする。
【００２２】
この発明に係る情報受信装置のビートノイズ抑制方法は、ステップＳ２において、所定周波数（α）を、可聴周波数帯域を越えて音声放送周波数の間隔範囲内の周波数に設定するサブステップＳＵＢを備えたので、ＦＭ多重放送受信装置の局部発振周波数が音声放送受信装置に回り込んでＡＭ受信周波数と同一周波のビートノイズが発生しても、所定周波数が可聴周波数外にあるので、ビートノイズ音を回避することができる。
【発明の効果】
【００２３】
この発明に係る情報受信装置は、共通のアンテナで、ＦＭ多重放送を受信するＦＭ多重放送受信装置と、音声放送を受信する音声放送受信装置とからなる情報受信装置であって、ＦＭ多重放送受信装置は、所定周波数だけシフトさせたＦＭ局部発振周波数を発生する局部発振回路と、ＦＭ受信信号とＦＭ局部発振周波数とを混合し、所定周波数だけシフトしたＦＭ中間周波数を出力する混合器とを備えたので、ＦＭ多重放送受信装置が音声放送受信装置の中間周波数の公称値（１０．７ＭＨｚ）＋ＡＭ受信周波数となるＦＭ受信周波数を受信しているときに、同時に音声放送受信装置が同一のＡＭ受信周波数を受信している場合には、ＦＭ多重放送受信装置がＡＭ受信周波数から所定周波数だけシフトしたＦＭ局部発振周波数を発振し、ＦＭ多重放送受信装置のＦＭ局部発振周波数が音声放送受信装置に回り込んでも、音声放送受信装置からビートノイズの発生を回避することができ、単純な構成で装置の性能を向上させることができる。
【００２４】
また、この発明に係る局部発振回路は、シフトさせる所定周波数を、可聴周波数帯域を越えて音声放送周波数の間隔範囲内の周波数に設定するので、局部発振周波数が音声放送受信装置に回り込んでビートノイズを発生しても、ビートノイズを可聴周波数外にすることができ、ビートノイズ音発生の抑制をアピールすることができる。
【００２５】
さらに、この発明に係る情報受信装置のビートノイズ抑制方法は、ＦＭ受信周波数（ｆFR）を受信するステップＳ１と、常時、所定周波数（α）だけシフトさせたＦＭ局部発振周波数（ｆFO）を発生するステップＳ２と、ＦＭ受信周波数（ｆFR）とＦＭ局部発振周波数（ｆFO）とを混合し、公称値（ｆI）から所定周波数だけシフトしたＦＭ中間周波数（ｆFI）を出力するステップＳ３とを備えたので、ＦＭ多重放送受信装置のＦＭ局部発振周波数（ｆFO）を音声放送受信装置のＡＭ受信周波数（ｆAR）から所定周波数（α）だけシフトすることができ、ＦＭ局部発振周波数（ｆFO）の音声放送受信装置への回り込みに起因する同一周波数（ＡＭ受信周波数）のビートノイズを回避することができる。
【００２６】
また、この発明に係る情報受信装置のビートノイズ抑制方法は、ステップＳ２において、所定周波数（α）を、可聴周波数帯域を越えて音声放送周波数の間隔範囲内の周波数に設定するサブステップＳＵＢを備えたので、ＦＭ多重放送受信装置の局部発振周波数が音声放送受信装置に回り込んでＡＭ受信周波数と同一周波のビートノイズが発生しても、所定周波数が可聴周波数外にあるので、ビートノイズ音を回避することができ、ビートノイズ対策効果をアピールすることができる。
【発明を実施するための最良の形態】
【００２７】
以下、この発明の実施の形態を添付図面に基づいて説明する。図１はこの発明に係る情報受信装置の一実施の形態要部ブロック構成図である。なお、情報受信装置１を構成するＦＭ多重放送受信装置２および音声放送受信装置３は、スーパヘテロダイン方式を採用し、ＦＭ多重放送受信装置２には、ＦＭ局部発振周波数ｆFOに、ＡＭ中間周波数ｆIの公称値（＝１０．７ＭＨｚ）＋所定周波数（αＫＨｚ）を採用し、音声放送受信装置３には、ＡＭ中間周波数ｆI＝１０．７ＭＨｚ（公称値）を採用する。また、図４に示す構成と同じブロックには、同一の符号を付与する。
【００２８】
図１において、ＦＭ多重放送受信装置２は、アンテナ入力回路５、混合器６、局部発振回路１５、中間周波増幅回路８、ＦＭ検波回路９を備える。
【００２９】
アンテナ入力回路５は、ＡＭ／ＦＭ共通のアンテナ４から受信された放送周波数ｆBを選局されたＦＭチャネルに連動して同調する同調回路で構成し、放送周波数ｆBから選局されたＦＭ受信周波数ｆFRを受信し、ＦＭ受信周波数ｆFRを混合器６に提供する。
【００３０】
混合器６は、アンテナ入力回路５から提供されるＦＭ受信周波数ｆFRと、局部発振回路１５から発振するＦＭ局部発振周波数ｆFOとを混合して、偏差（＝ｆFR−ｆFO）のＦＭ中間周波数ｆFIを発生し、ＦＭ中間周波数ｆFIを中間周波増幅回路８に供給する。なお、ＦＭ中間周波数ｆFIは、選局したＦＭ受信周波数ｆFRに拘わらず、常に一定のＡＭ中間周波数ｆIの公称値（１０．７ＭＨｚ）＋所定周波数（αＫＨｚ）に設定する。
【００３１】
局部発振回路１５は、ＰＬＬ（Phase Locked Loop）などの高精度の発振回路で構成し、
ＦＭ受信周波数ｆFRとＦＭ局部発振周波数ｆFO（＝１０．７ＭＨｚ＋αＫＨｚ）との偏差（＝ｆFR−１０．７ＭＨｚ−αＫＨｚ）を演算して、ＦＭ局部発振周波数ｆFOを高精度に発振することにより、ＦＭ局部発振周波数ｆFOに、常に所定周波数（−αＫＨｚ）を付加したフォームで発振する。なお、ＦＭ局部発振周波数ｆFOは、ＦＭ受信周波数ｆFRとＦＭ中間周波数ｆFIの偏差で表わされるため、ｆFO＝ｆFR−ｆFIの関係があり、ＦＭ中間周波数ｆFIは、常にＡＭ中間周波数ｆI（１０．７ＭＨｚ）＋所定周波数（αＫＨｚ）に設定されるので、ＦＭ局部発振周波数ｆFO＝ＦＭ受信周波数ｆFR−｛ｆI（１０．７ＭＨｚ）＋αＫＨｚ｝となる。
【００３２】
ＦＭ局部発振周波数ｆFOは、ラジオ視聴率測定の測定用電波として利用されるように、装置外部に放射されるので、筐体を同じにした音声放送受信装置３のアンテナ入力回路１０にも回り込む。
【００３３】
中間周波増幅回路８は、混合器６から供給されるＦＭ中間周波数ｆFIを増幅し、ＦＭ検波回路９に提供する。
【００３４】
ＦＭ検波回路９は、中間周波増幅回路８から増幅されたＦＭ中間周波数ｆFIを検波し、選局に対応したＦＭチャネルのＦＭ多重信号を取り出す。
【００３５】
音声放送受信装置３は、アンテナ入力回路１０、混合器１１、局部発振回路１２、中間周波増幅回路１３、ＡＭ検波回路１４を備える。
【００３６】
アンテナ入力回路１０は、アンテナ４から受信された放送周波数ｆBを選局されたＡＭチャネルに連動して同調する同調回路で構成し、放送周波数ｆBから選局されたＡＭ受信周波数ｆARを受信し、ＡＭ受信周波数ｆARを混合器１１に提供する。
【００３７】
混合器１１は、アンテナ入力回路１０から提供されるＡＭ受信周波数ｆARと、局部発振回路１２から発振するＡＭ局部発振周波数ｆAOとを混合してＡＭ中間周波数ｆIを発生し、ＡＭ中間周波数ｆIを中間周波増幅回路１３に供給する。なお、ＡＭ中間周波数ｆIは、選局したＡＭ受信周波数ｆARに拘わらず、常に一定のＡＭ中間周波数ｆIの公称値（１０．７ＭＨｚ）に設定する。
【００３８】
局部発振回路１２は、発振回路で構成し、ＡＭ局部発振周波数ｆAOを、常にＡＭ受信周波数ｆARとＡＭ中間周波数ｆIとの偏差（＝ｆAR−ｆI）で発振する。なお、ＡＭ中間周波数ｆIは、常に１０．７ＭＨｚであるため、ＡＭ局部発振周波数ｆAOは、ＡＭ受信周波数ｆAR−１０．７ＭＨｚとなる。
【００３９】
中間周波増幅回路１３は、混合器１１から供給されるＡＭ中間周波数ｆIを増幅し、ＡＭ検波回路１４に提供する。
【００４０】
次に、ＦＭ多重放送受信装置２の局部発振回路１５から発振したＦＭ局部発振周波数ｆFOが音声放送受信装置３のアンテナ入力回路１０に回り込んで、ビートノイズとなる現象の抑制効果について説明する。
【００４１】
音声放送受信装置３のアンテナ入力回路１０がＡＭ受信周波数ｆARを受信している時に、同時にＦＭ多重放送受信装置２のアンテナ入力回路５がＡＭ受信周波数ｆAR＋ＡＭ中間周波数ｆI（１０．７ＭＨｚ）のＦＭ受信周波数ｆFRを受信する場合、ＦＭ多重放送受信装置２の局部発振回路１５は、ｆAR−α｛＝（ｆI＋ｆAR）−（ｆI＋α）｝のＦＭ局部発振周波数ｆFOを発生する。
【００４２】
ＦＭ多重放送受信装置２から放射されたＦＭ局部発振周波数ｆFO（＝ｆAR−α）は、音声放送受信装置３のアンテナ入力回路１０に回り込んで、アンテナ入力回路１０で受信中のＡＭ受信周波数ｆARと干渉し、同一周波数（＝ｆAR）のビートノイズを発生する状態となるが、ＦＭ局部発振周波数ｆFOには、ＡＭ受信周波数ｆARに付加された所定周波数α成分が含まれているため、所定周波数αによってビートノイズの形態も異なる。
【００４３】
所定周波数αは、可聴周波数（例えば、１５ＫＨｚ以内）を越えた可聴周波数外とし、かつＡＭ放送周波数の間隔（国内では１００ＫＨｚ、欧州では５０ＫＨｚ）の範囲内の周波数、例えば２０ＫＨｚ（α＝２０ＫＨｚ）に設定する。なお、所定周波数αは、上記条件を満たす範囲で、任意の周波数に設定してもよい。また、国内と欧州の共通化を考慮し、欧州のＡＭ放送周波数の間隔である５０ＫＨｚの中間の２５ＫＨｚに設定してもよい。
【００４４】
なお、所定周波数αを＋２０ＫＨｚに設定した場合、ＦＭ中間周波数ｆFIは、ＡＭ中間周波数ｆIの公称値である１０．７ＭＨｚに所定周波数α（＝＋２０ＫＨｚ）を加算した１０．７２ＭＨｚに設定することになるが、所定周波数αを−２０ＫＨｚに設定し、ＦＭ局部発振周波数ｆFOを１０．７ＭＨｚに所定周波数α（＝−２０ＫＨｚ）を加算した１０．６８ＭＨｚに設定してもよい。
【００４５】
所定周波数αを可聴周波数外の２０ＫＨｚに設定することにより、ＦＭ局部発振周波数ｆFO（＝ｆAR−２０ＫＨｚ）が回り込んでＡＭ受信周波数ｆARと干渉し、ビートノイズを発生しても、ビートノイズの音声周波数成分が２０ＫＨｚとなり、ノイズ音として聞こえることがない。
【００４６】
また、ＦＭ多重放送受信装置２のＦＭ受信周波数ｆFRと音声放送受信装置３のＡＭ受信周波数ｆARとの関係がどのような関係にあっても、ＦＭ局部発振周波数ｆFOが音声放送受信装置３に回り込むことによって発生するビートノイズを回避することができる。
【００４７】
このように、この発明に係る情報受信装置１は、共通のアンテナ４で、ＦＭ多重放送を受信するＦＭ多重放送受信装置２と、音声放送を受信する音声放送受信装置３とからなる情報受信装置であって、ＦＭ多重放送受信装置２は、所定周波数αだけシフトさせたＦＭ局部発振周波数ｆFOを発生する局部発振回路１５と、ＦＭ受信信号（ＦＭ受信周波数ｆFR）とＦＭ局部発振周波数ｆFOとを混合し、所定周波数αだけシフトしたＦＭ局部発振周波数ｆFOを出力する混合器６とを備えたので、ＦＭ多重放送受信装置２が音声放送受信装置３の中間周波数（ＡＭ中間周波数ｆI）の公称値（１０．７ＭＨｚ）＋ＡＭ受信周波数ｆARとなるＦＭ受信周波数ｆFRを受信しているときに、同時に音声放送受信装置３が同一のＡＭ受信周波数ｆARを受信している場合には、ＦＭ多重放送受信装置２がＡＭ受信周波数ｆARから所定周波数αだけシフトしたＦＭ局部発振周波数ｆFOを発振し、ＦＭ多重放送受信装置２のＦＭ局部発振周波数ｆFOが音声放送受信装置３に回り込んでも、音声放送受信装置３からビートノイズの発生を回避することができ、単純な構成で装置の性能を向上させることができる。
【００４８】
また、この発明に係る局部発振回路１５は、シフトさせる所定周波数αを、可聴周波数帯域を越えて音声放送周波数の間隔範囲内の周波数（例えば、２０ＫＨｚ）に設定するので、ＦＭ局部発振周波数ｆFOが音声放送受信装置３に回り込んでビートノイズを発生しても、ビートノイズを可聴周波数外にすることができ、ビートノイズ音発生の抑制をアピールすることができる。
【００４９】
続いて、この発明に係る情報受信装置のビートノイズ抑制方法について説明する。図２はこの発明に係る情報受信装置のビートノイズ抑制方法の一実施の形態要部動作フロー図である。なお、動作フローは、図１を参照にする。
【００５０】
図２において、情報受信装置のビートノイズ抑制方法は、ステップＳ１では、ＦＭ受信周波数（ｆFR）を受信する。なお、ステップＳ１の動作は、アンテナ４およびアンテナ入力回路５が実行する。
【００５１】
ステップＳ２では、常時、所定周波数（α）だけシフトさせたＦＭ局部発振周波数（ｆFO）を発生する。なお、ステップＳ２の動作は、局部発振回路１５が実行する。
【００５２】
ステップＳ３では、ＦＭ受信周波数（ｆFR）とＦＭ局部発振周波数（ｆFO）とを混合し、公称値（ｆI）から所定周波数だけシフトしたＦＭ中間周波数（ｆFI）を出力する。なお、ステップＳ３の動作は、混合器６が実行する。
【００５３】
このように、この発明に係る情報受信装置のビートノイズ抑制方法は、ＦＭ受信周波数（ｆFR）を受信するステップＳ１と、常時、所定周波数（α）だけシフトさせたＦＭ局部発振周波数（ｆFO）を発生するステップＳ２と、ＦＭ受信周波数（ｆFR）とＦＭ局部発振周波数（ｆFO）とを混合し、公称値（ｆI）から所定周波数だけシフトしたＦＭ中間周波数（ｆFI）を出力するステップＳ３とを備えたので、ＦＭ多重放送受信装置のＦＭ局部発振周波数（ｆFO）を音声放送受信装置のＡＭ受信周波数（ｆAR）から所定周波数（α）だけシフトすることができ、ＦＭ局部発振周波数（ｆFO）の音声放送受信装置への回り込みに起因する同一周波数（ＡＭ受信周波数）のビートノイズを回避することができる。
【００５４】
図３はこの発明に係る情報受信装置のビートノイズ抑制方法の一実施の形態部分動作フロー図である。情報受信装置のビートノイズ抑制方法は、図２のステップＳ２において、サブステップＳＵＢでは、所定周波数（α）を、可聴周波数帯域を越えて音声放送周波数の間隔範囲内の周波数に設定する。
【００５５】
このように、この発明に係る情報受信装置のビートノイズ抑制方法は、ステップＳ２において、所定周波数（α）を、可聴周波数帯域を越えて音声放送周波数の間隔範囲内の周波数に設定するサブステップＳＵＢを備えたので、ＦＭ多重放送受信装置のＦＭ局部発振周波数ｆFOが音声放送受信装置に回り込んでＡＭ受信周波数ｆARと同一周波のビートノイズが発生しても、所定周波数αが可聴周波数外にあるので、ビートノイズ音を回避することができ、ビートノイズ対策効果をアピールすることができる。
【産業上の利用可能性】
【００５６】
本発明に係る情報受信装置は、ＦＭ多重放送受信装置の中間周波数の公称値（例えば、１０．７ＭＨｚ）よりも所定数端数（αＫＨｚ）だけシフトさせ、ＦＭ多重放送受信装置の局部発振周波数を可聴周波数帯域外の所定周波数（αＫＨｚ）だけシフトして発振するようにしたものであり、ＦＭ多重放送受信装置の局部発振周波数が音声放送受信装置に回り込んで発生するビートノイズを抑制するようなあらゆる情報受信装置に適用することができる。
【図面の簡単な説明】
【００５７】
【図１】この発明に係る情報受信装置の一実施の形態要部ブロック構成図
【図２】この発明に係る情報受信装置のビートノイズ抑制方法の一実施の形態要部動作フロー図
【図３】この発明に係る情報受信装置のビートノイズ抑制方法の一実施の形態部分動作フロー図
【図４】従来の情報受信装置のビートノイズ発生現象説明図
【符号の説明】
【００５８】
１    情報受信装置
２    ＦＭ多重放送受信装置
３    音声放送受信装置
４    アンテナ
５，１０    アンテナ入力回路
６，１１    混合器
８，１３    中間周波増幅回路
９    ＦＭ検波回路
１２，１５    局部発振回路
１４    ＡＭ検波回路
ｆB    放送周波数
ｆAR    ＡＭ受信周波数
ｆAO    ＡＭ局部発振周波数
ｆI    ＡＭ中間周波数（１０．７ＭＨｚ）
ｆFR    ＦＭ受信周波数
ｆFO    ＦＭ局部発振周波数（ｆFR−１０．７ＭＨｚ−αＫＨｚ）
ｆFI    ＦＭ中間周波数（１０．７ＭＨｚ＋αＫＨｚ）
【図１】
2006262281.tif 000003
【図２】
2006262281.tif 000004
【図３】
2006262281.tif 000005
【図４】
2006262281.tif 000006